(57)【特許請求の範囲】
【請求項１】
ダムより配設した導水管に発電機を介在して接続し、発電機後部の導水管には、大径で前後をテーパ状に形成した整流管を介在して接続し、発電機の側部には導水管と同径の予備導水管を並設し、該予備導水管の前部は発電機前部の導水管に、後部は整流管の前部テーパ部に接続し、また、導水管と同じ高さの取水口から導水管より小径の補水管を配設し、該補水管を整流管の前部テーパ部に貫通して接続し、該注水口は整流管中心から水流方向に向け、発電機前後の導水管、予備導水管、補水管に弁を取り付けた構造において、補水管を分岐し、一方の分岐管に高圧ポンプを介在して両側に弁を取り付け、他方の分岐管には弁を１ケ取り付けたことを特徴とする補水用圧送ポンプ付き利水ダム用発電装置。
【請求項２】
ダムより配設された各用途先の導水管の間に、大型発電機を設置し、発電機の前部にダム側の全導水管の水量が通る水圧管を接続し、後部には水圧管より大径で長めの吸い出し管を接続し、また、水圧管の前部には水圧管より大径で前後にテーパを形成した集水管を接続し、該集水管の前部テーパ部にダム側の全導水管を接続し、後部テーパ部と吸い出し管の間に吸い出し管と同径の予備導水管を接続し、吸い出し管の後部に、上部を円すいにした大径の脱気筒を、発電機の下面を基準とする水平線下に設置し、該脱気筒上部の接線方向に吸い出し管を接続し、脱気筒の後部の下部には、下流側の全導水管をテーパ管を介して接続し、脱気筒の中心上部には脱気管を接続し、他端は下方に延伸して小容量の電磁弁付電動ポンプを接続し、また、導水管と同じ高さの取水口より、導水管と同径の補水管を配設し、該補水管の先端は、補水管と同径の大口径管、それより小径の中口径管、小口径管に分岐して脱気筒の後部の下部に各接続し、各導水管、水圧管、吸い出し管、予備導水管、補水管の大口径管、中口径管、小口径管に弁を取り付けた構造において、複数列の大、中、小の口径管に並設した分岐管に高圧ポンプを介在し、両側に弁を取り付け、また、脱気筒の脱気管の下部に弁を取り付けたことを特徴とする補水用圧送ポンプ付利水ダム用発電装置。
【発明の詳細な説明】
【技術分野】
【０００１】  本発明は、補水用圧送ポンプ付利水ダム用発電装置に関する。
【背景技術】
【０００２】  本発明は、先に特許された、特許第５７８８９５８号（以下  特許１号に略）と特許第５８０６３６５（以下  特許２号に畧）は、発電時に発生するガス（今まで、ダム水に溶解していた空気その他の気体）を整流管や脱気筒に補水してダム水に溶解し、安全なダム水にして各所に送水しているが、本発明は、更に、１００％確実に溶解するようにしたものである。
【発明の概要】
【発明が解決しようとする課題】
【０００３】  高圧ポンプでダム圧より高圧のダム水を補水し、発電後の遊離・ガスを１００％確実に溶解し、この安全なダム水を、従来のダム圧で、各所に送水できるようにすることを目的とする。
【課題を解決するための手段】
【０００４】  実施例１は、特許１号の補水管に高圧ポンプを増設したものである。すなわち、高圧ポンプを増設する特許１号の構造は、ダムより配設した導水管に発電機を介在して接続し、発電機後部の導水管には、大径で前後をテーパ状に形成した整流管を介在して接続し、発電機の側部には導水管と同径の予備導水管を並設し、該予備導水管の前部は発電機前部の導水管に、後部は整流管の前部テーパ部に接続し、また、導水管と同じ高さの取水口（サージングタンク等を含む）から導水管より小径の補水管を配設し、該補水管を整流管の前部テーパ部に貫通して接続し、該注水口は整流管中心から水流方向に向け、発電機前後の導水管、予備導水管、補水管に弁を取り付けた構造であるが、
本発明は、補水管を分岐し、一方の分岐管に高圧ポンプを介在して両側に弁を取り付け、他方の分岐管には弁を１ケ取り付けたものである。【０００５】  上記、特許１号の作用は次の通りである。発電する時は、先ず、補水管と発電機前後の弁を全開し、予備導水管の弁を全閉すれば、ダム水が発電機に全量流れ込むので、最高出力の発電をすることができ、発電したダム水は、整流管に入り、発電時に発生したガスをダム水に溶け入ませて、従来のダム圧で各用途先に送水する。
発電機のメンテは、先ず、予備導水管の弁を全開し、次に、発電機前後の弁を全閉し、ダム水を予備導水管側に切換えて行う。なお、整流管からの送水密度を高めるため、補水管の弁は、全開したままにする。
本発明は、一方の分岐管の弁２ケを全開して高圧ポンプを運転し、他方の分岐管の弁を全閉すれば、整流管は高圧のダム水が充満するので、発電時に発生したガスをダム水に完全に溶け込ませて、各用途先に、従来のダム圧で送水することができる。
発電機の発電機のメンテは、先ず、予備導水管の弁を全開し、次に、発電機前後の弁を全閉し、ダム水を予備導水管側に切換えて行う。なお、整流管からの送水密度を高めるため、高圧ポンプは運転したままにする。
高圧ポンプのメンテは、他方の分岐管の弁を全開し、高圧ポンプを停止し、該高圧ポンプ両側の弁を全閉して行う。【０００６】  実施例２は、特許２号の補水管に並列した分岐管に高圧ポンプを増設したものである。すなわち、高圧ポンプを増設する特許２号の構造は、ダムより配設された各用途先の導水管の間に、大型発電機を設置し、発電機の前部にダム側の全導水管の水量が通る水圧管を接続し、後部には水圧管より大径で長めの吸い出し管を接続し、また、水圧管の前部には水圧管より大径で前後にテーパを形成した集水管を接続し、該集水管の前部テーパ部にダム側の全導水管を接続し、後部テーパ部と吸い出し管の間に吸い出し管と同径の予備導水管を接続し、吸い出し管の後部に、上部を円すいにした大径の脱気筒を、発電機の下面を基準とする水平線下に設置し、該脱気筒上部の接線方向に吸い出し管を接続し、脱気筒の後部の下部には、下流側の全導水管をテーパ管を介して接続し、脱気筒の中心上部には脱気管を接続し、他端は下方に延伸して小容量の電磁弁付電動ポンプを接続し、また、導水管と同じ高さの取水口より、導水管と同径の補水管を配設し、該補水管の先端は、補水管と同径の大口径管、それより小径の中口径管、小口径管に分岐して脱気筒の後部の下部に各接続し、各導水管、水圧管、吸い出し管、予備導水管、補水管の大口径管、中口径管、小口径管に弁を取り付けているが、
本発明は、複数列の大、中、小の口径管に並設した分岐管に高圧ポンプを介在し、両側に弁を取り付け、また、脱気筒の脱気管の下部に弁を取り付けたものである。【０００７】  上記、特許２号の作用は次の通りである。発電する時は、全導水管、補水管３ケの内の１ケ、水圧管、吸い出し管の弁を全開すると共に脱気筒のポンプを運転し、予備導水管の弁を全閉すれば、集水管に集約したダム水が水圧管を通って発電機に流れ込んで発電する。
発電したダム水は、脱気筒に入るが、吸い出し管は脱気筒上部の接線方向に接続したので、ダム水は旋回しながら、ガスを溶解しつつ下降し、未溶解のガスは上昇して脱気管に接続したポンプから、微量のダム水と共に脱気筒外へ強制的に排出される。なお、このとき、脱気管の上部は円すい状に形成したのでガスが溜りやすく、したがって排出しやすい。
一方、下降したダム水は、補水管から入る高密度のダム水と合流し、密度が高まると共に更にテーパ管で圧縮され高密度になるので、例え、未溶解のガスがあっても、ダム水に完全に溶解する。
したがって、下流側の導水管は、ガスによる腐食や水撃作用がなく、安全な状態で、従来のダム圧で送水することができる。
なお、電磁弁付電動ポンプは発電時もメンテ時も常に運転して微量のダム水を連続して、吐出するようにしたので、未溶解ガスはダム水に誘引されて確実に排水することができる。
発電機のメンテは、先ず、予備導水管の弁を全開し、発電機前後の水圧管と吸い出し管の弁を全閉し、ダム水を予備導水管側に切換えて行う。なお、メンテ時でも発電時と同じように、未溶解ガスを強制的に排除するため、補水管の弁を全開すると共に脱気筒のポンプも、発電時と同じように常運転する。
本発明は、分岐管の両側の弁を全開して高圧ポンプを運転し、補水管の弁を全閉すれば、脱気筒内は高圧となるので、ガスはダム水に完全に溶け込み、この安全なダム水を、各用途先に、従来のダム圧で送水することができる。
発電機のメンテは特許１号通り行うが、脱気筒からの送水密度を高めるため、高圧ポンプは運転したままにする。
高圧ポンプのメンテは、補水管の弁を全開し、高圧ポンプの運転を停止して両側の弁を全閉して行う。
電磁弁付電動ポンプのメンテは、脱気管の弁を全閉して行う。
【発明の効果】
【０００８】  上述したように、本発明は、特許１と２を改良し、発電と管路で発生する遊離ガスを１００％ダム水に溶解と強制排除するようにしたので、管路や付属機器の腐食と水撃作用が起こらない、安全なダム水を、従来のダム圧で、各用途先に送水することができる。
なお、本発明は新設のみならず既設のダムにも実施でき、発電において何ら問題がないので、きわめて安価な電力を安定して供給することができる。
したがって、従来の利水ダムを発電所付き多目ダムとして有効活用することができる。
【図面の簡単な説明】
【０００９】
【図１】  第１実施例の正面図  予備導水管と補水管は導水管と同じように、地面に沿って配設するが、分りやすくするため、上方と下方に表した。
【図２】  図１の平面図
【図３】  第２実施例の正面図
【図４】  図３の平面図
【発明を実施するための形態】
【００１０】  実施１の図１と図２の２０は補水管５を分岐した一方の分岐管で、該分岐管２０に高圧ポンプ２２を介在し、該高圧ポンプ２２の両側に弁７を取り付けている。２１は他方の分岐管で弁７を取り付けている。
【００１１】  実施例２の図３と図４の２３は複数列の大、中、小口径管１２、１３、１４に並設した分岐管で、高圧ポンプ２２を介在し、該高圧ポンプ２２の両側に弁１５を取り付けている。
【００１２】  以上の弁７、１５、高圧ポンプ２２、電磁弁付電動ポンプ１０等は、確実に操作するため、電気的自動制御方式にしたがよい。
【符号の説明】
【００１４】特許１号（特許第５７８８９５８号）
（図１と図２）
１    発電機
２    導水管
３    整流管
４    予備導水管
５    補水管
６    注水口
７    弁
２０  一方の分岐管
２１  他方の分岐管
２２  高圧ポンプ
特許２号（特許第５８０６３６５号）
（図３と図４）
１    大型発電機
２    導水管
３    水圧管
４    吸い出し管
５    集水管
６    予備導水管
７    脱気筒
８    テーパー管
９    脱気管
１０  電磁弁付電動ポンプ
１１  補水管
１２  大口径管
１３  中口径管
１４  小口径管
１５  弁
２３  分岐管
【要約】
【課題】  利水ダム用発電装置で発生するガス（今まで、ダム水に溶解していた空気その他の気体）を発電後のダム水に溶解して、管路の腐食や水撃作用を防止した安全なダム水を各用途先に送水する発電装置について特許を付与されたが、本発明は更に、確実に溶解させることを目的とする。
【解決手段】  発電後のダム水に高圧ポンプで補水し、ガスを１００％ダム水に溶解するように構成した。
これにより、発電で発生したガスは１００％ダム水に溶解するので、管路や付属機器の腐食や水撃作用を防止した安全なダム水を、各用途先に、従来のダム圧で送水することができる。
【選択図】図３【図１】
0006014236.tif 000002
【図２】
0006014236.tif 000003
【図３】
0006014236.tif 000004
【図４】
0006014236.tif 000005